(57)【要約】【課題】各種電子機器における動作モードや、入力モードの他経過モード等の状態情報を表示領域において容易に判別する。【解決手段】電子機器が行う各操作を示す記号がそれぞれ異なる色彩を用いて記載されている表示領域９において、表示領域９における背景を、電子機器が行っている操作を示す記号の色彩に対応する色彩によって表示する。【選択図】図２
2004212796.tif 000002
【特許請求の範囲】
【請求項１】
電子機器が行う複数の操作のうち前記電子機器が行っている操作を、表示領域においてそれぞれ状態情報として表示する状態情報表示方法であって、
前記各操作を示す記号がそれぞれ異なる色彩を用いて記載されている前記表示領域において、前記電子機器が行っている操作を示す記号の色彩に対応する色彩によって前記電子機器の状態情報を表示することを特徴とする状態情報表示方法。
【請求項２】
前記表示領域における背景を、前記電子機器が行っている操作を示す記号の色彩に対応する色彩によって表示することを特徴とする請求項１に記載の状態情報表示方法。
【請求項３】
前記電子機器が操作を行っているときに、前記各状態情報として前記各記号のうちその操作に対応する記号のみを、それぞれ異なる色彩を用いて表示することを特徴とする請求項１に記載の状態情報表示方法。
【請求項４】
電子機器が行う複数の操作のうち前記電子機器が行っている操作を状態情報として表示する表示領域と、前記表示領域にそれぞれ異なる色彩によって記載された前記各操作を示す複数の記号と、前記表示領域の裏面に配設された異なる色彩の複数の光源とを有してなり、
前記電子機器が前記各操作を行っているときに、その操作を示す記号の色彩に対応する色彩の光源を用いて前記表示領域を照射して前記表示領域において前記各状態情報を表示することを特徴とする状態情報表示手段。
【請求項５】
電子機器が行う複数の操作のうち前記電子機器が行っている操作を状態情報として表示する表示領域を備えた対向して配設される一対の基板と、前記基板の相互に対向する面に配設された複数の導電層と、前記各操作を示す記号がそれぞれ異なる色彩によって記載されている複数の表示部と、前記各一対の基板の裏側に配設され、異なる色彩の複数の光源を備えたバックライトユニットとを有してなり、
前記電子機器が前記各操作を行っているときに、その操作を示す記号の色彩に対応する色彩の光源を用いて前記一対の基板を照射して前記表示領域において前記各状態情報を表示することを特徴とするタッチパネル装置。
【発明の詳細な説明】
【０００１】
【発明の属する技術分野】
本発明は、各種電子機器の状態情報を表示する状態情報表示方法、状態情報表示手段及びタッチパネル装置に関する。
【０００２】
【従来の技術】
一般に、炊飯ジャーや電気ポット、電子レンジの他、ＰＤＡ（Ｐｅｒｓｏｎａｌ  Ｄｉｇｉｔａｌ  Ａｓｓｉｓｔａｎｔ）等の各種電子機器は、前記各電子機器の操作手段として押圧により所定の信号を入力する複数のスイッチを備えており、これら各スイッチの表面には、前記各電子機器の各種操作、例えば前記各電子機器を炊飯ジャーとして説明すると、「停止」「炊飯」「保温」等の操作が表示されている。
【０００３】
さらに、前記炊飯ジャーには、一般に前記各スイッチの近傍に前記炊飯ジャーを操作した場合の「停止」「炊飯」「保温」等の状態情報を表示するため例えばＬＥＤ（Ｌｉｇｈｔ  Ｅｍｉｔｔｉｎｇ  Ｄｉｏｄｅ：発光ダイオード）等からなる複数の小さい光源が設けられており、そして、これら各光源の近傍には、「保温」等の前記炊飯ジャーの各状態情報を示す文字等の記号が記載されている。
【０００４】
この炊飯ジャーは、電源をＯＮにすると、前記状態情報の「停止」を表す光源が点灯するようになっている。また、「炊飯」と表示されたスイッチを押圧すると前記炊飯ジャーに炊飯を行うための信号が入力されるとともに、前記状態情報の「停止」を表す光源が消灯されて「炊飯」を表す光源が点灯する。さらに、前記炊飯ジャーにおいて炊飯の操作が終了すると、「炊飯」を表す光源が消灯されて前記状態情報の「保温」を表す光源が点灯する。このように、前記炊飯ジャーは、その状態情報を外部に表示するようになっていた。
【０００５】
【発明が解決しようとする課題】
しかし、従来の炊飯ジャーにおいては各状態情報を表示するための前記各光源が小さく、またこれら光源の近傍に記載された「保温」等の表示も小さいため、遠目では前記炊飯ジャーの現在の状態を前記各光源によって判別することは困難であった。
【０００６】
本発明はこれらの点に鑑みてなされたものであり、各種電子機器における動作モードや、入力モードの他経過モード等の状態情報を容易に判別することができる状態情報表示方法、状態情報表示手段及びタッチパネル装置を提供することを目的とする。
【０００７】
【課題を解決するための手段】
前記目的を達成するため、電子機器が行う複数の操作のうち前記電子機器が行っている操作を、表示領域においてそれぞれ状態情報として表示する状態情報表示方法であって、前記各操作を示す記号がそれぞれ異なる色彩を用いて記載されている前記表示領域において、前記電子機器が行っている操作を示す記号の色彩に対応する色彩によって前記電子機器の状態情報を表示することを特徴とする。
【０００８】
ここで、記号とは、前記電子機器の各操作を示す文字や図形等により構成される記号をいう。
【０００９】
この本発明に係る状態情報表示方法によれば、表示領域に表示された色彩によって電子機器の現在の状態情報を判断することができる。
【００１０】
また、本発明に係る他の状態情報表示方法は、前記表示領域における背景を、前記電子機器が行っている操作を示す記号の色彩に対応する色彩によって表示することを特徴とする。
【００１１】
この本発明に係る他の状態情報表示方法によれば、表示領域の背景に表示された色彩によって電子機器の現在の状態情報を判断することができる。
【００１２】
また、本発明に係る他の状態情報表示方法は、前記電子機器が操作を行っているときに、前記各状態情報として前記各記号のうちその操作に対応する記号のみを、それぞれ異なる色彩を用いて表示することを特徴とする。
【００１３】
この本発明に係る他の状態情報表示方法によれば、液晶表示装置等の表示装置を利用せずに、異なる色彩を用いて所定の記号を表示することができる。
【００１４】
また、本発明に係る状態情報表示手段は、電子機器が行う複数の操作のうち前記電子機器が行っている操作を状態情報として表示する表示領域と、前記表示領域にそれぞれ異なる色彩によって記載された前記各操作を示す複数の記号と、前記表示領域の裏面に配設された異なる色彩の複数の光源とを有してなり、前記電子機器が前記各操作を行っているときに、その操作を示す記号の色彩に対応する色彩の光源を用いて前記表示領域を照射して前記表示領域において前記各状態情報を表示することを特徴とする。
【００１５】
この本発明に係る状態情報表示手段によれば、表示領域に表示された色彩によって電子機器の現在の状態情報を判断することができる。
【００１６】
さらに、本発明に係るタッチパネル装置は、電子機器が行う複数の操作のうち前記電子機器が行っている操作を状態情報として表示する表示領域を備えた対向して配設される一対の基板と、前記基板の相互に対向する面に配設された複数の導電層と、前記各操作を示す記号がそれぞれ異なる色彩によって記載されている複数の表示部と、前記各一対の基板の裏側に配設され、異なる色彩の複数の光源を備えたバックライトユニットとを有してなり、前記電子機器が前記各操作を行っているときに、その操作を示す記号の色彩に対応する色彩の光源を用いて前記一対の基板を照射して前記表示領域において前記各状態情報を表示することを特徴とする。
【００１７】
この本発明に係るタッチパネル装置によれば、表示領域に表示された色彩によって電子機器の現在の状態情報を判断することができる。
【００１８】
【発明の実施の形態】
以下、本発明に係るタッチパネル装置の実施形態を図１から図５を参照して説明する。
【００１９】
図１は、本実施形態に係るタッチパネル装置を示す概略断面図であり、本実施形態においては電子機器としての炊飯ジャー本体の操作部として用いられるタッチパネル装置について説明する。
【００２０】
図１に示すように、本タッチパネル装置１は、合成樹脂等の材料からなる一対の透明基板２，３を有し、これら各透明基板２，３は、前記各透明基板２，３の周縁部分および所定の位置に配設されたスペーサ５を介して所定の間隙をもって対向するように配設されている。
【００２１】
また、前記各透明基板２，３のうち表側の透明基板２における他の透明基板３に対向する面には、ＩＴＯ（Ｉｎｄｉｕｍ  Ｔｉｎ  Ｏｘｉｄｅ：インジウムスズ酸化物）等の材料をスパッタリング法等の方法を用いて成膜された複数の導電層６が一方向に平行に整列して配設されている。さらに、裏側の透明基板３における表側の透明基板２に対向する面には、前記表側の透明基板２に配設された各導電層６と同様の材料からなる複数の導電層７が前記表側の透明基板２に配設された各導電層６の配設方向に直交する方向に整列して配設されている。なお、前記各導電層６，７を、光透過性を有する導電材を含むインクによりパターニングして形成してもよい。
【００２２】
そして、本タッチパネル装置１は、前記表側の透明基板２の表面における所定の各部分を押圧して前記表側の透明基板２の導電層６と前記裏側の透明基板３の導電層７とを接触させることにより、図示しない炊飯ジャーに対し所定の信号を入力し前記炊飯ジャーに所定の例えば「停止」、「炊飯」、「保温」等の操作を行わせるための信号を入力するようになっている。
【００２３】
また、前記一対の透明基板２，３の表側には、前記炊飯ジャーに対して各種操作を行わせるために各導電層６，７を接触させる位置に相当する位置に複数の表示部８ａが印刷形成された表示シート８が配設されている。これら各表示部８ａには、図２に示すように、それぞれ前記炊飯ジャーの各種操作としての動作モードの１つである「停止」の文字が濃い青色によって、また「炊飯」の文字が濃い緑色によって、さらに「保温」という文字が濃い赤色によって、前記炊飯ジャーに対し入力する信号の操作に対応した表示となるように印刷されている。また、これら各表示部８ａの表示は、前記タッチパネル装置１の表側から表示領域９において視認可能となっている。
【００２４】
さらに、前記一対の透明基板２，３の裏側には、前記各透明基板２，３に対して照射光を照射するバックライトユニット１０が配設されている。このバックライトユニット１０は、前記裏側の透明基板３に対向するように配設された導光板１１を有し、前記導光板１１の裏側には、照射光を前記各透明基板２，３の方向に反射させる反射板１２が配設されている。また、前記導光板１１の表側には、照射光を前記各透明基板２，３の方向に拡散させるための拡散板１３が配設されている。さらに、前記導光板１１の側縁近傍には、光源としての青色、緑色および赤色の複数のＬＥＤ１５が整列して配設されている。
【００２５】
そして、前記タッチパネル装置１においては、前記各ＬＥＤ１５から前記導光板１１に入射した照射光が、前記導光板１１の裏面または反射板１２の表面において反射することによって前記各透明基板２，３の方向に照射され、前記各透明基板２，３を透過して前記タッチパネル装置１における表示領域９の背景において視認されるようになっている。
【００２６】
次に、本実施形態における状態情報表示方法について説明する。
【００２７】
まず、炊飯ジャーの電源をＯＮにすると、前記各ＬＥＤ１５のうち各青色ＬＥＤ１５Ｂが点灯する。すると、青色の照射光が前記導光板１１および前記拡散板１３を介して前記透明基板２，３を透過し、前記タッチパネル装置１の表側から青色の照射光が前記タッチパネル装置１における表示領域９の背景色として視認可能となる。このとき、前記タッチパネル装置１においては「停止」の文字が濃い青色によって印刷されているので、炊飯ジャーの動作モードが停止状態であることを判断することができる。
【００２８】
続いて、前記タッチパネル装置１における「炊飯」の表示を押圧すると、表側の透明基板２と裏側の透明基板３の各導電層６，７が接触し、炊飯ジャーに対して炊飯の操作を行うように信号が入力される。これとともに、前記各青色ＬＥＤ１５Ｂが消灯し、各緑色ＬＥＤ１４Ｇが点灯する。すると、緑色の照射光が青色の照射光と同様に前記タッチパネル装置１の表側から表示領域９の背景色として視認可能となる。このとき、タッチパネル装置１においては「炊飯」の文字が濃い緑色によって印刷されているので、炊飯ジャーの動作モードが炊飯状態であることを判断することができる。
【００２９】
さらに、前記炊飯ジャーにおいて前記炊飯が終了したとき、または前記タッチパネル装置１における「保温」の表示を押圧し、炊飯ジャーに対して保温の操作を行う信号が入力されたとき、前記各緑色ＬＥＤ１５Ｇまたは前記各青色ＬＥＤ１５Ｂが消灯し、各赤色ＬＥＤ１５Ｒが点灯する。すると、赤色の照射光が青色の照射光と同様に前記タッチパネル装置１の表側から表示領域９の背景色として視認可能となる。このとき、タッチパネル装置１においては「保温」の文字が濃い赤色によって印刷されているので、炊飯ジャーの動作モードが保温状態であることを判断することができる。
【００３０】
このように本実施形態におけるタッチパネル装置１においては、表示領域９の背景色の変化によって炊飯ジャーの状態情報を表示することができる。
【００３１】
したがって、前記タッチパネル装置１によれば、その背景色が青色のときは炊飯ジャーが停止状態であり、緑色のときは炊飯状態であり、赤色のときは保温状態であると、背景色によって前記炊飯ジャーの状態を判断することができるので、遠目からでも容易に前記炊飯ジャーの状態を判断することができる。
【００３２】
次に、本発明に係るタッチパネル装置の第２の実施形態について図３を参照して説明する。ここで、本実施形態においては、電子機器としてＰＤＡを用いて説明する。
【００３３】
本実施形態に係るタッチパネル装置は、表側の透明基板の表面における所定の各部分を押圧して前記表側の透明基板の導電層と前記裏側の透明基板の導電層とを接触させることにより、ＰＤＡに対し所定の信号を入力し前記ＰＤＡに例えば「ひらがな入力」、「アルファベット入力」、「数字入力」等の操作を行わせるようになっている。
【００３４】
また、前記一対の透明基板の表側には、前記ＰＤＡに対して各種操作を行わせるために各導電層を接触させる位置に相当する位置に、複数の表示部が印刷形成された表示シートが配設されている。これら各表示部には、図３に示すように、それぞれ前記ＰＤＡの各種操作としての入力モードの１つであるひらがな入力を示す「あ」の文字が濃い青色によって、またアルファベット入力を示す「Ａ」の文字が濃い緑色によって、さらに数字入力を示す「１」という文字が濃い赤色によって、前記ＰＤＡに対し入力する信号の操作に対応した表示となるように印刷されている。また、前記タッチパネルにおける表示領域の前記各文字以外の背景は、バックライトユニットからの照射光を透過するようになっている。
【００３５】
なお、本実施形態のタッチパネル装置における他の構成は、第１の実施形態におけるタッチパネル装置の構成と同様であるので、説明を省略する。
【００３６】
次に、本実施形態の作用について説明する。
【００３７】
まず、ＰＤＡの電源をＯＮにすると、各青色ＬＥＤが点灯する。すると、初期入力モードを示す青色の照射光が前記タッチパネル装置の表側から前記表示領域の背景色として視認可能となる。このとき、タッチパネル装置においては「あ」の文字が濃い青色によって印刷されており、これにより前記ＰＤＡの入力モードはひらがな入力の状態であることを判断することができる。
【００３８】
また、前記タッチパネル装置における「Ａ」の表示を押圧すると、ＰＤＡに対してアルファベット入力のモードに変更するように信号が入力される。これとともに前記各青色ＬＥＤが消灯し、各緑色ＬＥＤが点灯し、緑色の照射光がタッチパネル装置の表側から前記表示領域の背景色として視認可能となる。このとき、タッチパネル装置においては「Ａ」の文字が濃い緑色によって印刷されており、これにより前記ＰＤＡの入力モードはアルファベット入力の状態であることを判断することができる。
【００３９】
一方、前記タッチパネル装置における「１」の表示を押圧すると、ＰＤＡに対して数字入力のモードに変更するように信号が入力される。これとともに前記各青色ＬＥＤが消灯し、各赤色ＬＥＤが点灯し、赤色の照射光がタッチパネル装置の表側から前記表示領域の背景色として視認可能となる。このとき、タッチパネル装置においては「１」の文字が濃い赤色によって印刷されており、これにより前記ＰＤＡの入力モードは数字入力の状態であることを判断することができる。
【００４０】
このように本実施形態におけるタッチパネル装置においても、背景色の変化によってＰＤＡの状態情報としての入力モードを表示することができる。
【００４１】
したがって、前記タッチパネル装置においては、その背景色が青色のときはＰＤＡがひらがな入力モードであり、緑色のときはアルファベット入力モードであり、赤色のときは数字入力モードであると、背景色によって前記ＰＤＡの入力モードを判断することができるので、容易に前記ＰＤＡの状態を判断することができる。
【００４２】
さらに、本発明に係る他のタッチパネル装置の第３の実施形態について図４を参照して説明する。本実施形態についても、電子機器としてＰＤＡを用いて説明する。
【００４３】
本実施形態の表示部においては、図４に示すように、「あ」の文字が青色の照射光を透過するような青色によって印刷され、「Ａ」の文字が緑色の照射光を透過するような緑色によって印刷され、「１」の文字が赤色の照射光を透過するような赤色によって印刷されている。また、前記タッチパネルにおける表示領域の前記各文字以外の背景は、前記各色彩の照射光を透過しない黒色となるように印刷されている。
【００４４】
なお、本実施形態の他の構成は、前記第２の実施形態の構成と同様であるので説明を省略する。
【００４５】
本実施形態によれば、ＰＤＡの電源をＯＮにして各青色ＬＥＤが点灯すると、初期入力モードを示す青色の照射光が前記表示部の「あ」の部分のみを透過し、「あ」の文字が青色によって表示される。このとき、青色の照射光は、タッチパネル装置における背景においては黒色印刷がされているので前記タッチパネル装置の表側に透過されず、背景は黒色表示となる。また「Ａ」および「１」の文字の部分においては緑色の印刷および赤色の印刷によるフィルタ効果によりほぼ黒色表示となる。これにより、前記ＰＤＡの入力モードはひらがな入力の状態であることを判断することができる。
【００４６】
また、前記タッチパネル装置における「Ａ」の表示を押圧して、ＰＤＡに対してアルファベット入力のモードに変更するように信号を入力するとともに前記各青色ＬＥＤを消灯し、各緑色ＬＥＤを点灯させると、緑色の照射光が前記表示部の「Ａ」の部分のみを透過し、「Ａ」の文字が緑色によって表示される。このとき、緑色の照射光は、タッチパネル装置における表示領域の背景においては前記タッチパネル装置の表側に透過されず、背景は黒色表示となる。また「あ」および「１」の文字の部分においては青色の印刷および赤色の印刷によるフィルタ効果によりほぼ黒色表示となる。これにより前記ＰＤＡの入力モードはアルファベット入力の状態であることを判断することができる。
【００４７】
一方、前記タッチパネル装置における「１」の表示を押圧して、ＰＤＡに対して数字入力のモードに変更するように信号を入力するとともに前記各青色ＬＥＤを消灯し、各赤色ＬＥＤを点灯させると、赤色の照射光が前記表示部の「１」の部分のみを透過し、「１」の文字が赤色によって表示される。このとき、赤色の照射光は、表示領域の背景においては前記タッチパネル装置の表側に透過されず、背景は黒色表示となる。また「あ」および「Ａ」の文字の部分においては青色の印刷および緑色の印刷によるフィルタ効果によりほぼ黒色表示となる。これにより前記ＰＤＡの入力モードは数字入力の状態であることを判断することができる。
【００４８】
このように本実施形態におけるタッチパネル装置においては、文字の色によってＰＤＡの入力モードを表示することができる。
【００４９】
したがって、前記タッチパネル装置においては、その表示された文字色が青色のときはＰＤＡがひらがな入力モードであり、緑色のときはアルファベット入力モードであり、赤色のときは数字入力モードであると、文字の色によって前記ＰＤＡの入力モードを判断することができるので、容易に前記ＰＤＡの状態を判断することができる。これとともに、液晶表示装置等を用いずに所定の文字のみを表示することにより、簡易に前記ＰＤＡの状態を判断することができる。
【００５０】
さらに、本発明に係る他のタッチパネル装置の第４の実施形態について図５を参照して説明する。本実施形態についても、電子機器としてＰＤＡを用いて説明する。
【００５１】
本実施形態においては、表示部は、図５に示すように、「Ａ」の文字を青色の照射光が透過するような青色によって印刷され、「１」の文字を赤色の照射光が透過するような赤色によって印刷されている。また、前記タッチパネルの前記各文字以外の背景は、バックライトユニットからの照射光を透過するようになっている。なお、本実施形態の他の構成は、前記第２の実施形態の構成と同様であるので説明を省略する。
【００５２】
本実施形態によれば、ＰＤＡの電源をＯＮにして各青色ＬＥＤが点灯すると、初期入力モードを示す青色の照射光は、前記表示領域における表示部の「Ａ」の部分および背景部分を透過する一方、「１」の文字の部分においては赤色のフィルタ効果により透過しない。このため、「Ａ」の文字は背景色と同化し「１」の文字が背景から浮かび上がって表示される。これにより、前記ＰＤＡの入力モードは数字入力の状態であることを判断することができる。
【００５３】
また、前記タッチパネル装置における「１」の表示を押圧して、ＰＤＡに対して数字入力のモードに変更するように信号を入力するとともに前記各青色ＬＥＤを消灯し、各赤色ＬＥＤを点灯させると、赤色の照射光は、前記表示領域における表示部の「１」の部分および背景部分を透過する一方、「Ａ」の文字の部分においては青色のフィルタ効果により透過しない。このため、「１」の文字は背景色と同化し「Ａ」の文字が背景から浮かび上がって表示される。これにより、前記ＰＤＡの入力モードはアルファベット入力の状態であることを判断することができる。
【００５４】
このように本実施形態におけるタッチパネル装置においては、文字の色によってＰＤＡの入力モードを表示することができる。
【００５５】
したがって、前記タッチパネル装置においては、文字の色によって前記ＰＤＡの入力モードを判断することができるので、容易に前記ＰＤＡの状態を判断することができる。これとともに、液晶表示装置等を用いずに所定の文字のみを表示することにより、簡易に前記ＰＤＡの状態を判断することができる。
【００５６】
なお、本発明は前記実施形態に限定されるものではなく、必要に応じて種々変更することが可能である。
【００５７】
例えば、前記各実施形態においてはタッチパネル装置を電子機器として炊飯ジャーやＰＤＡを用いて説明しているが、これに限定されず、他の各電子機器の操作部のタッチパネル装置として用いることができる。
【００５８】
また、このタッチパネル装置は、前記各電子機器の本体に配設されているが、これに限定されず、例えば前記各電子機器を遠隔から操作するためのリモコン装置に配設されていてもよい。
【００５９】
さらに、前記各実施形態においては電子機器の状態情報を表示するための手段として前述の構成からなるタッチパネル装置を用いて説明したが、これに限定されるものではなく、例えば電子機器の状態情報を表示する液晶表示装置等他の表示装置において本発明の状態情報表示方法を用いてもよい。
【００６０】
さらにまた、前記各実施形態においては電子機器の状態情報として操作モードや入力モードを表示するようになっているが、これに限定されるものではない。例えば、異なる色彩によって温度変化や時間経過等の状態情報を表示するものであってもよい。
【００６１】
さらにまた、前記各実施形態は、各青色、緑色、赤色のＬＥＤを単独に用いて異なる色彩によって電子機器の状態情報を表示するものであるが、これに限定されず、各ＬＥＤの色彩を混合することにより、より多色を用いて電子機器の状態情報を表示してもよい。
【００６２】
【発明の効果】
以上述べたように、本発明に係る状態情報表示方法によれば、表示領域に表示された色彩によって電子機器の現在の状態情報を判断することができるので、容易に電子機器の状態を判断することができる。
【００６３】
また、本発明に係る他の状態情報表示方法によれば、表示領域の背景色によって電子機器の状態を判断することができるので、遠目からでも容易に前記電子機器の状態を判断することができる。
【００６４】
また、本発明に係る他の状態情報表示方法によれば、容易に電子機器の状態を判断することができとともに、液晶表示装置等を用いずに所定の文字のみを表示することにより、簡易に前記電子機器の状態を判断することができる。
【００６５】
また、本発明に係る状態情報表示手段によれば、表示領域に表示された色彩によって電子機器の現在の状態情報を判断することができるので、容易に電子機器の状態を判断することができる。
【００６６】
さらに、本発明に係るタッチパネル装置によれば、表示領域に表示された色彩によって電子機器の現在の状態情報を判断することができるので、容易に電子機器の状態を判断することができる。
【図面の簡単な説明】
【図１】本発明に係るタッチパネル装置の一実施形態を示す概略断面図
【図２】図１の表示部の表示および各光源を示す平面図
【図３】本発明に係る他のタッチパネル装置における表示部の表示を示す平面図
【図４】本発明に係る他のタッチパネル装置における表示部の表示を示す平面図
【図５】本発明に係る他のタッチパネル装置における表示部の表示を示す平面図
【符号の説明】
１  タッチパネル装置
２，３  表側透明基板
６，７  導電層
８ａ  表示部
１０  バックライトユニット
１１  導光板
１２  反射板
１３  拡散板
１５  ＬＥＤ
【図１】
2004212796.tif 000003
【図２】
2004212796.tif 000004
【図３】
2004212796.tif 000005
【図４】
2004212796.tif 000006
【図５】
2004212796.tif 000007